(57)【要約】【課題】結束状態の解除が可能で、結束作業の作業性が良く、強固な締付けがされた場合でもその結束状態を安定保持できる信頼性に優れた電線結束具を提供する。【解決手段】バンド部１１とロック部１２を備える電線結束具であって、ロック部１２の枠体２０が、内方に係止爪２５を支持するとともにバンド部１１の基端が一体に結合された略コの字形の枠体本体２１と、バンド幅方向の一端側で枠体本体２１の一方の開放端部２１ａに回動可能に結合された基端部２２ａ、および、枠体本体２１の他方の開放端部２１ｂに接近および離隔可能な中間部２２ｂを有する蓋状体２２とを含んで構成されている。そして、枠体２０の外周側であって枠体本体２１のうちバンド幅方向の一端側の端面２１ｄから離隔する外周壁面領域Ｚ内で、中間部２２ｂに連結する蓋状体２２の先端部２２ｃが、枠体本体２１に対しバンド部１１の幅方向と直交する方向に段差を形成しつつ係止されている。【選択図】図１
2016082689.tif 000002
【特許請求の範囲】
【請求項１】
複数の係止用凹凸部が長さ方向に所定ピッチで形成された結束用のバンド部と、前記バンド部の基端が一体に結合されるとともに前記バンド部が先端から挿入される枠体、および、前記係止用凹凸部に抜止め可能に係合するよう前記枠体内に配置された係止爪を有するロック部と、を備え、前記バンド部を前記ロック部の内方で抜止め状態にロックしてワイヤーハーネスの電線群を結束する電線結束具であって、
前記枠体が、前記係止爪を支持するとともに前記バンド部の基端が一体に結合され、前記バンド部の幅方向の一端側で開放された略コの字形の枠体本体と、前記バンド部の幅方向の一端側で前記枠体本体の一方の開放端部に回動可能に結合された基端部と該基端部での回動によって前記バンド部の幅方向の一端側で前記枠体本体の他方の開放端部に接近および離隔可能な中間部とを有する蓋状体と、を含んで構成されており、
前記枠体の外周側であって前記枠体本体のうち前記バンド部の幅方向の一端側の端面から離隔する外周壁面領域内で、前記中間部に連結する前記蓋状体の先端部が、前記枠体本体に対し前記バンド部の幅方向と直交する方向に段差を形成しつつ係止されていることを特徴とする電線結束具。
【請求項２】
前記枠体本体の前記外周壁面領域内で前記枠体本体の前記他方の開放端部から外方に突出する凸部と、該凸部に凹凸係合するよう前記蓋状体の前記先端部に形成された凹部とを有していることを特徴とする請求項１に記載の電線結束具。
【請求項３】
前記蓋状体の前記先端部と、前記枠体本体の前記一方の開放端部および前記他方の開放端部とが、それぞれ板状に形成されるとともに、
前記枠体本体と前記蓋状体の基端部との間に、前記蓋状体の前記回動を許容するよう前記枠体本体および前記蓋状体の基端部より薄肉に形成された薄肉部が形成されており、
前記蓋状体の前記先端部が前記枠体本体に対し前記バンド部の幅方向と直交する方向に段差を形成しつつ係合するよう前記外周壁面領域に接近するとき、前記蓋状体の前記先端部と前記枠体本体の前記他方の開放端部とのうち少なくとも一方が板厚方向に撓み、前記蓋状体の前記先端部が前記枠体本体に対し前記バンド部の幅方向と直交する方向に段差を形成しつつ係合したときに前記蓋状体の前記先端部と前記枠体本体の前記他方の開放端部とのうち少なくとも一方が前記板厚方向に弾性回復することを特徴とする請求項１または請求項２に記載の電線結束具。
【発明の詳細な説明】
【技術分野】
【０００１】
本発明は、電線結束具に関し、特にワイヤーハーネスの電線群を結束可能でかつその結束状態を解除可能な電線結束具に関する。
【背景技術】
【０００２】
従前から、ワイヤーハーネスの電線群を結束したりパネルに係止固定したりする場合に、結束バンドやクリップ（クランプを含む意で、以下、単にクリップという）等の電線結束具が多用されている。
【０００３】
一般に、電線結束具は、強固な結束に耐え得る戻り止め（抜け止め）構造を有するものの、結束状態を解除することが容易でなく、結束作業を誤ったり再結束したりする場合にはその作業が煩雑で困難なものとなる。そこで、近時、電線結束具の外方側から結束状態を容易に解除できるようにした電線結束具が開発されている。
【０００４】
この種の電線結束具として、例えば結束バンドの鋸刃状部分に係合する係止爪を有するロック部のうち、係止爪に対向する対向壁部分の一端側にヒンジを形成する一方、対向壁部の他端側に凹凸係合部分を設け、その対向壁部を、ロック部内のバンドに当接させてバンドを係止爪に圧接させる閉状態に凹凸係合でき、その係合の解除時にバンドをロック部の外方に離脱可能にするものが知られている（例えば、特許文献１参照）。
【０００５】
また、係止爪を支持するロック部の側壁部分にスリット状の切欠きを設け、ロック部内で係止爪に係止された結束バンドをバンド幅方向にスライドさせてロック解除できるようにしたものも知られている（例えば、特許文献２参照）。
【先行技術文献】
【特許文献】
【０００６】
【特許文献１】特開２００１−２１８３４０号公報
【特許文献２】特開２００１−２０８０１７号公報
【発明の概要】
【発明が解決しようとする課題】
【０００７】
しかしながら、上述のような従来の電線結束具にあっては、結束バンド部分に作用する引張力が大きくなるとともに、係止爪に対向する対向壁部分を係止爪から離隔する方向に付勢する応力が増大する構成となっていた。そのため、強固な結束を行うと、対向壁部分を閉止状態に保持する凹凸係合部の係合が解けてしまったり、ロック部のスリットに隣接する対向壁部分が撓んで結束バンドのロック状態が解除され易くなったりすることになり、結束後にその電線結束具の結束状態が解けてしまうことが懸念されていた。
【０００８】
これに対し、例えばロック部の剛性を高めて、凹凸係合部の係合状態からの離脱を困難にしたりスリットに隣接する対向壁部分の撓みを抑えたりすることが考えられるが、結束バンドの強固な締付けが要求される場合に電線結束具の結束状態が解けてしまうおそれが払拭できないばかりか、結束作業性の低下やコスト高を招くという問題があった。
【０００９】
そこで、本発明は、結束状態の解除が可能で、結束作業の作業性が良く、しかも、強固な締付けがされた場合でもその結束状態を安定保持できる信頼性に優れた電線結束具を提供することを目的とする。
【課題を解決するための手段】
【００１０】
本発明に係る電線結束具は、上記目的達成のため、複数の係止用凹凸部が長さ方向に所定ピッチで形成された結束用のバンド部と、前記バンド部の基端が一体に結合されるとともに前記バンド部が先端から挿入される枠体、および、前記係止用凹凸部に抜止め可能に係合するよう前記枠体内に配置された係止爪を有するロック部と、を備え、前記バンド部を前記ロック部の内方で抜止め状態にロックしてワイヤーハーネスの電線群を結束する電線結束具であって、前記枠体が、前記係止爪を支持するとともに前記バンド部の基端が一体に結合され、前記バンド部の幅方向の一端側で開放された略コの字形の枠体本体と、前記バンド部の幅方向の一端側で前記枠体本体の一方の開放端部に回動可能に結合された基端部と該基端部での回動によって前記バンド部の幅方向の一端側で前記枠体本体の他方の開放端部に接近および離隔可能な中間部とを有する蓋状体と、を含んで構成されており、前記枠体の外周側であって前記枠体本体のうち前記バンド部の幅方向の一端側の端面から離隔する外周壁面領域内で、前記中間部に連結する前記蓋状体の先端部が、前記枠体本体に対し前記バンド部の幅方向と直交する方向に段差を形成しつつ係止されていることを特徴とするものである。
【００１１】
この構成により、本発明では、バンド部に電線の結束に伴う張力が作用する状態で、バンド部がその先端側からロック部内に挿入され、係止用凹凸部がロック部の係止爪に係止される。このとき、バンド部の係止用凹凸部が係止爪から離脱することが、バンド部の外面に隣接する枠体本体の他方の開放端部付近で規制されるので、枠体には若干の撓みと蓋状体の中間部と他方の開放端部とを離隔させる方向の力が生じ得る。これに対し、蓋状体の先端部が枠体本体に対しバンド部の幅方向と直交する方向に段差を形成しつつ係止されているので、蓋状体の中間部と他方の開放端部とを離隔させる方向の力は、段差を形成する枠体本体側の段差面と蓋状体側の段差面とを圧接させることになり、蓋状体が枠体本体に対し開放側に回動する（蓋状体の閉止状態が解ける）ことが前記段差によって規制される。よって、強固な締付けがされた場合でもその結束状態を安定保持できる信頼性に優れた電線結束具となる。
【００１２】
なお、前記外周壁面領域は、前記枠体本体のうち前記バンド部の外面側に位置する前記他方の開放端部付近の外面側に設定できるが、前記バンド部の幅方向の他端側に位置する前記枠体本体の中間側壁部分の外面側であってもよい。また、前記段差を形成する前記蓋状体の先端部の段差面および前記枠体本体の段差面は、バンド部の厚さ方向の段差面のみならず、バンド部の長さ方向の段差面であってもよい。さらに、前記蓋状体の先端部の段差面および前記枠体本体の段差面は、バンド幅方向と直交する方向に対し傾斜させたり凹凸を形成する面にしたりして、相互の係止機能を高めるようにしてもよい。
【００１３】
本発明に係る電線結束具においては、前記枠体本体の前記外周壁面領域内で前記枠体本体の前記他方の開放端部から外方に突出する凸部と、該凸部に凹凸係合するよう前記蓋状体の前記先端部に形成された凹部とを有しているのがよい。
【００１４】
この場合、蓋状体および枠体本体に対し中間部を他方の開放端部から離隔させる方向の力が発生するとき、段差を形成する凸部の外側壁面と凹部の内側壁面とが圧接することで、蓋状体が枠体本体に対し開放側に回動することが規制される。なお、蓋状体の先端部を貫通する凹部を形成して、凸部と凹部の係合部分を外部から目視し易くすると好ましい。
【００１５】
本発明に係る電線結束具においては、前記蓋状体の前記先端部と、前記枠体本体の前記一方の開放端部および前記他方の開放端部とが、それぞれ板状に形成されるとともに、前記枠体本体と前記蓋状体の基端部との間に、前記蓋状体の前記回動を許容するよう前記枠体本体および前記蓋状体の基端部より薄肉に形成された薄肉部が形成されており、前記蓋状体の前記先端部が前記枠体本体に対し前記バンド部の幅方向と直交する方向に段差を形成しつつ係合するよう前記外周壁面領域に接近するとき、前記蓋状体の前記先端部と前記枠体本体の前記他方の開放端部とのうち少なくとも一方が板厚方向に撓み、前記蓋状体の前記先端部が前記枠体本体に対し前記バンド部の幅方向と直交する方向に段差を形成しつつ係合したときに前記蓋状体の前記先端部と前記枠体本体の前記他方の開放端部とのうち少なくとも一方が前記板厚方向に弾性回復するものであってもよい。
【００１６】
この場合、結束前の状態でも、蓋状体の先端部が枠体本体に対しバンド部の幅方向と直交する方向に段差を形成しつつ確実に係合し、その係合状態が確実に保持される。したがって、電線結束具のロック部を結束作業前に予め蓋状体の閉止状態にしておくことができ、通常の電線結束具と同様に取り扱い可能となるので、作業性がよい。
【発明の効果】
【００１７】
本発明によれば、結束状態の解除が可能で、結束作業の作業性が良く、しかも、強固な締付けがされた場合でもその結束状態を安定保持できる信頼性に優れた電線結束具を提供することができる。
【図面の簡単な説明】
【００１８】
【図１】本発明の一実施の形態に係る電線結束具の電線結束状態の一例を示す斜視図である。
【図２】図１に示す電線結束具の電線結束状態の一例において、ロック部の蓋状体を開放したときのバンド部の係止用凹凸部とロック部の係止爪との係合部分を示す一部断面を含む斜視図である。
【図３】本発明の一実施の形態に係る電線結束具の一部断面を含む要部正面図であって、ロック部の蓋状体を開放した状態を示す図である。
【図４】本発明の一実施の形態に係る電線結束具の一部断面を含む要部正面図であって、ロック部の蓋状体を閉止した状態を示す図である。
【発明を実施するための形態】
【００１９】
次に、本発明を実施するための形態について図面を参照しつつ説明する。
【００２０】
（一実施の形態）
図１ないし図４は、本発明の一実施の形態に係る電線結束具を示している。
【００２１】
まず、本実施形態の構成を説明する。
【００２２】
図１に示すように、本実施形態の電線結束具１０は、車両に装備されるワイヤーハーネスの電線群Ｗを結束する結束バンドとして構成されている。
【００２３】
電線結束具１０は、例えばポリプロピレンやナイロン等の樹脂で形成されており、互いに結合された結束用のバンド部１１およびロック部１２を有している。
【００２４】
電線群Ｗは、例えば複数の絶縁被覆電線であるが、アース線や外装材を含んでいてもよい。また、電線以外の線材（例えば光ファイバ等）を一部に含んでいてもよい。
【００２５】
図２および図３に示すように、結束用のバンド部１１は、その長さ方向の一端側である基端部１１ａでロック部１２に一体に結合されており、長さ方向の他端側である先端部１１ｂからロック部１２内に挿入されるようになっている。
【００２６】
このバンド部１１は、長さ方向への引張りの強度が高い一方、ロック部１２に対して少なくとも厚さ方向に容易に撓ませることができる可撓性を有している。
【００２７】
また、バンド部１１には、その長さ方向の所定範囲内の片面側に、複数の係止用凹凸部１１ｅが長さ方向に所定ピッチで形成されており、ロック部１２内で抜け止め（戻り止め）可能に係止されるようになっている。
【００２８】
図４に示すように、ロック部１２は、バンド部１１の基端部１１ａが一体に結合されるとともにバンド部１１が先端部１１ｂ側から挿入される挿入孔２０ａが形成された枠体２０と、バンド部１１の係止用凹凸部１１ｅに抜止め可能に係合するよう枠体２０内に配置された係止爪２５とを備えている。係止爪２５は、枠体２０の挿入孔２０ａの挿入口側で枠体２０に支持されつつ挿入孔２０ａ内に斜めに延びる基端部２５ａと、挿入孔２０ａの出口側でバンド部１１の厚さ方向に変位可能な他端部２５ｂと、バンド部１１の係止用凹凸部１１ｅに対応する略鋸刃断面の凹凸をなす係止用凹凸部２５ｅとを有している。
【００２９】
そして、バンド部１１がロック部１２内に挿入されるとき、係止爪２５がバンド部１１の厚さ方向に撓みつつバンド部１１のロック部１２内への挿入を許容する一方、ロック部１２に対するバンド部１１の挿入方向と反対の方向への戻りを規制することができるようになっている。
【００３０】
すなわち、電線結束具１０は、バンド部１１をロック部１２の内方で抜止め状態にロックしてワイヤーハーネスの電線群Ｗを結束することができるようになっている。
【００３１】
なお、このような係止爪２５（ロック爪）およびバンド部１１の係止用凹凸形状自体は公知のどのようなものであってもよい。
【００３２】
一方、枠体２０は、バンド部１１の幅方向の一端側（図３中の右側）で開放された略コの字形の枠体本体２１と、バンド部１１の幅方向の一端側で枠体本体２１の一方の開放端部２１ａに回動可能に結合された基端部２２ａを有する蓋状体２２とを備えている。
【００３３】
枠体本体２１の内方側には係止爪２５が支持されており、枠体本体２１の外方側にはバンド部１１の基端部１１ａが一体に結合されている。
【００３４】
蓋状体２２は、バンド部１１の幅方向の一端側で枠体本体２１の他方の開放端部２１ｂの端面２１ｄに近接する中間部２２ｂを有している。この中間部２２ｂは、蓋状体２２の基端部２２ａでの回動によって、枠体本体２１の他方の開放端部２１ｂに接近および離隔可能になっている。
【００３５】
また、蓋状体２２の中間部２２ｂに連結する先端部２２ｃは、枠体２０の外周側であって枠体本体２１のうちバンド部１１の幅方向の一端側の端面２１ｄから離隔する外周壁面領域Ｚ内において、枠体本体２１に対しバンド部１１の幅方向と直交する方向に段差Ｌｄを形成しつつ係止されている。
【００３６】
具体的には、枠体本体２１の外周壁面領域Ｚ内にいて、枠体本体２１の他方の開放端部２１ｂには外方（図３中の上方）に突出する凸部２１ｐが形成されており、蓋状体２２の先端部２２ｃには凸部２１ｐに嵌合（凹凸係合）する嵌合穴部２２ｈ（凹部）が形成されている。
【００３７】
より具体的には、蓋状体２２の中間部２２ｂを枠体本体２１の他方の開放端部２１ｂから離隔させる方向の力が蓋状体２２および枠体本体２１に生じるとき、バンド部１１の幅方向と直交する方向に段差Ｌｄを形成する凸部２１ｐの外側壁面２１ｔと嵌合穴部２２ｈの先端側の内壁面２２ｔ（凹部の内側壁面）とが圧接することで、蓋状体２２が枠体本体２１に対し開放側に回動することが規制されるようになっている。そして、そのために、蓋状体２２の先端部２２ｃは、凸部２１ｐに嵌合する嵌合穴部２２ｈより先端側に先端側の内壁面２２ｔを有しており、凸部２１ｐは他方の開放端部２１ｂの端面２１ｄから遠い側面側に外側壁面２１ｔを有している。
【００３８】
また、蓋状体２２の先端部２２ｃと枠体本体２１の一方の開放端部２１ａおよび他方の開放端部２１ｂとは、それぞれ平板状に形成されている。
【００３９】
さらに、枠体本体２１と蓋状体２２の基端部２２ａとの間には、蓋状体２２の回動を許容するよう枠体本体２１の一方の開放端部２１ａおよび蓋状体２２の基端部２２ａより薄肉となる薄肉部２３がヒンジ結合部として形成されている。
【００４０】
薄肉部２３は、例えば図３に示すように、枠体本体２１の一方の開放端部２１ａと蓋状体２２の基端部２２ａとを略平行な初期の開放状態にしたとき、所定深さの略Ｖ字形断面の溝２３ｎを形成して、薄肉部２３を直線状のくびれ形状にしたものである。
【００４１】
蓋状体２２はこの薄肉部２３を支点として、図３に示すように枠体本体２１の一方の開放端部２１ａと略平行な初期の開放状態（成型された形状）から、図４に示すように枠体本体２１の一方の開放端部２１ａに対し略直交する閉止状態まで、回動させることができるようになっている。
【００４２】
そして、蓋状体２２の先端部２２ｃが枠体本体２１の凸部２１ｐに接近しつつ枠体本体２１に対し閉止方向に回動するとき、蓋状体２２の先端部２２ｃと枠体本体２１の他方の開放端部２１ｂとのうち少なくとも一方、例えば双方が、それぞれ板厚方向に撓んだ後、凸部２１ｐと嵌合穴部２２ｈが嵌合するのと同時に、枠体２０内におけるバンド部１１の幅方向と直交する方向に段差Ｌｄを形成しつつ係合するようになっている。
【００４３】
ここにいうバンド部１１の幅方向と直交する方向とは、枠体２０の挿入孔２０ａ内に挿入されたバンド部１１の厚さ方向（図３、図４中の上下方向）およびそのバンド部１１の長さ方向（図３、図４中の紙面と直交する方向）である。
【００４４】
また、蓋状体２２の嵌合穴部２２ｈを有する先端部２２ｃが枠体本体２１の凸部２１ｐに対しバンド部１１の幅方向と直交する方向に段差を形成しつつ係合したとき、蓋状体２２の先端部２２ｃと枠体本体２１の他方の開放端部２１ｂとのうち少なくとも一方、例えば双方が、それぞれ板厚方向に弾性回復するようになっている。
【００４５】
次に、本実施形態の作用を説明する。
【００４６】
上述のように構成された本実施形態の電線結束具１０においては、図１に示すようにバンド部１１がその先端部１１ｂ側からロック部１２内に挿入されると、係止用凹凸部１１ｅがロック部１２の係止爪２５に係止される。
【００４７】
そして、電線群Ｗを結束するようバンド部１１がその長さ方向の中間部までロック部１２内に挿入されるよう先端部１１ｂ側から張力を加えられる等して、図１に示すような結束状態になる。
【００４８】
この状態においては、バンド部１１に電線群Ｗの結束に伴う張力が作用するが、バンド部１１の係止用凹凸部１１ｅが係止爪２５から離脱することが、バンド部１１の外面１１ｆに隣接する枠体本体２１の他方の開放端部２１ｂ付近で規制され、バンド部１１のロック部１２に対する係止状態が保持される。また、枠体本体２１および蓋状体２２が、段差Ｌｄを形成する２つの壁面２１ｔ、２２ｔの両側に及んでバンド部１１の四方を取り囲むとともに、それらの端部を相互に係止させているので、その係止状態も保持される。
【００４９】
このとき、枠体本体２１の他方の開放端部２１ｂに加わる図中上向き力により枠体２０が撓むとともに、蓋状体２２の中間部２２ｂと他方の開放端部２１ｂとを離隔させる方向の力が生じ得る。しかし、蓋状体２２の開閉方向（図４中の左右方向）がバンド部１１から枠体２０に作用する応力の方向（図４中の上方向）と異なるため、蓋状体２２が不意に開いてしまうことがない。
【００５０】
すなわち、本実施形態の電線結束具１０では、蓋状体２２の先端部２２ｃが枠体本体２１に対しバンド部１１の幅方向と直交する方向に段差Ｌｄを形成しつつ係止されている。したがって、蓋状体２２の中間部２２ｂと他方の開放端部２１ｂとを離隔させる方向の力は、段差Ｌｄを形成する枠体本体２１側の段差面である外側壁面２１ｔと蓋状体２２側の段差面である内壁面２２ｔとを圧接させることになり、蓋状体２２が枠体本体２１に対し開放側に回動する（蓋状体の閉止状態が解ける）ことが段差Ｌｄによって規制される。
【００５１】
したがって、バンド部１１の大きな張力が作用する程度に強固な締付けがされた場合でも、その結束状態を安定保持できる信頼性に優れた結束具となる。
【００５２】
また、本実施形態では、蓋状体２２および枠体本体２１に対し中間部２２ｂを他方の開放端部２１ｂから離隔させる方向の力が発生するとき、枠体本体２１の凸部２１ｐと蓋状体２２の先端部２２ｃとが、枠体本体２１の端面２１ｄから離隔する側面同士を圧接させるので、蓋状体２２の開放側への回動が確実に規制される。
【００５３】
しかも、蓋状体２２の先端部２２ｃを貫通する嵌合穴部２２ｈを形成して、凸部２１ｐと嵌合穴部２２ｈの係合部分を外部から目視し易くしているので、蓋状体２２を閉止させる作業性が良い。
【００５４】
一方、例えば結束作業に何らかの誤りがあり、あるいは、仕様変更などに対応すべく、電線結束具１０による電線群Ｗの結束を解いて再結束する必要が生じたような場合には、蓋状体２２の先端部２２ｃを枠体本体２１に対し浮き上がる方向に持ち上げる。
【００５５】
このとき、枠体本体２１の凸部２１ｐに対する蓋状体２２の先端部２２ｃの係止状態が解除され、蓋状体２２を開放側に容易に回動可能となり、バンド部１１の係止用凹凸部１１ｅを係止爪２５の係止用凹凸部２５ｅから容易に離脱させることができる。その結果、電線結束具１０による電線群Ｗの結束状態を容易に解くことができ、再利用もできる。
【００５６】
また、本実施形態では、蓋状体２２の先端部２２ｃが枠体本体２１に対しバンド部１１の幅方向と直交する方向に段差を形成しつつ係合するよう外周壁面領域Ｚに接近するとき、蓋状体２２の先端部２２ｃと枠体本体２１の他方の開放端部２１ｂとのうち少なくとも一方が板厚方向に撓み、蓋状体２２の先端部２２ｃが枠体本体２１に対しバンド部１１の幅方向と直交する方向に段差を形成しつつ係合したときに、蓋状体２２の先端部２２ｃと枠体本体２１の他方の開放端部２１ｂとのうち少なくとも一方が板厚方向に弾性回復する。
【００５７】
したがって、結束前の状態でも、蓋状体２２の先端部２２ｃが枠体本体２１に対しバンド部１１の幅方向と直交する方向に段差を形成しつつ確実に係合可能となり、その係合状態が確実に保持される。したがって、電線結束具１０のロック部１２を結束作業前に予め蓋状体２２の閉止状態にしておくことができ、通常の電線結束具と同様に取り扱い可能となるので、作業性がよいものとなる。
【００５８】
このように、本実施形態においては、結束状態の解除が可能で、結束作業の作業性が良く、しかも、強固な締付けがされた場合でもその結束状態を安定保持できる信頼性に優れた電線結束具１０を提供することができる。
【００５９】
なお、上述の一実施の形態では、蓋状体２２の先端部２２ｃおよび枠体本体２１の凹凸係合の方向は、バンド部１１の厚さ方向としたが、枠体２０の挿入孔２０ａ内におけるバンド部１１の長さ方向であってもよい。
【００６０】
また、外周壁面領域Ｚは、図３中では枠体本体２１の他方の開放端部２１ｂの外面側に設定していたが、バンド部１１の幅方向の他端側に位置する枠体本体２１の中間側壁部分２１ｅの外面２１ｆ側に設定されてもよい。この場合、枠体本体２１の中間側壁部分２１ｅの外面２１ｆとそれに接触する蓋状体２２の先端部２２ｃの内側面（符号なし）とは、バンド幅方向と直交する方向の段差を形成する段差面となり得る。
【００６１】
さらに、蓋状体２２の先端部２２ｃ側の段差面２２ｔおよび枠体本体２１側の段差面２１ｔは、バンド幅方向と直交する方向に対し傾斜させたり凹凸を形成する面にしたりして、蓋状体２２の先端部２２ｃと枠体本体２１との相互の係止機能を高めるようにしても好ましい。
【００６２】
さらに、本発明の電線結束具は、全体がポリプロピレンやナイロンその他の樹脂で形成されるものに限らず、部分的に金属製となっているものであってもよい。
【００６３】
以上説明したように、本発明は、結束状態の解除が可能で、結束作業の作業性が良く、しかも、強固な締付けがされた場合でもその結束状態を安定保持できる信頼性に優れた電線結束具を提供できるものであり、ワイヤーハーネスの電線群を結束可能でかつその結束状態を解除可能な電線結束具全般に有用である。
【符号の説明】
【００６４】
１０  電線結束具
１１  バンド部
１１ａ  基端部
１１ｂ  先端部
１１ｅ  係止用凹凸部
１２  ロック部
２０  枠体
２０ａ  挿入孔
２１  枠体本体
２１ａ  一方の開放端部
２１ｂ  他方の開放端部
２１ｄ  端面（バンド部の幅方向の端面）
２１ｐ  凸部
２１ｔ  外側壁面（枠体本体側の段差面）
２２  蓋状体
２２ａ  基端部
２２ｂ  中間部
２２ｃ  先端部
２２ｈ  嵌合穴部
２２ｔ  内壁面（凹部の内側壁面、蓋状体側の段差面）
２３  薄肉部
２５  係止爪
【図１】
2016082689.tif 000003
【図２】
2016082689.tif 000004
【図３】
2016082689.tif 000005
【図４】
2016082689.tif 000006